(57)【要約】      （修正有）【課題】安価に且つ外板が熱により変色せず、しかも重量的に軽く、且つ、薄板を使用しても内板が熱変形し難いバーベキューコンロを提供する。【解決手段】四方の側面Ｓ１〜Ｓ４と底面１Ｂが設けられた外板１によって構成され上方に開放された箱状の本体部分Ａ１と、その内部に配置される内板２を備えてバーベキューコンロを構成する。さらに、前記内板２を一方の側面から見て上方で拡幅した溝状に形成するとともに、前記内板２の内方に、間に空間４が形成されるように、底面部分とその両側方から上方に向けて立ち上げた側面部分とを線状部材でメッシュ状に形成した金網状部材３を配置し、内板２の上端部を前記金網状部材３の上端部に、相対的に係止させる。【選択図】図１
0003165759.tif 000002
【実用新案登録請求の範囲】
【請求項１】
四方の側面と底面が設けられた外板によって構成され上方に開放された箱状の本体部分と、その内部に配置される内板を有するバーベキューコンロにおいて、
前記内板を一方の側面から見て上方で拡幅した溝状の形態に形成するとともに、
前記内板の内方に、該内板との間に空間が形成されるように、底面部分とその両側方から上方に向けて立ち上げた側面部分とを線状部材でメッシュ状に形成した金網状部材を、配置し、
前記内板の上端部を前記金網状部材の上端部に、相対的に係止したことを特徴とするバーベキューコンロ。
【請求項２】
前記内板と金網状部材との間に空間を形成するために、前記内板と金網状の部材のいずれか一方の部材又は両方の部材に相手方に向けて突起を形成したことを特徴とする請求項１記載のバーベキューコンロ。
【請求項３】
前記内板が外板の四方の側面のうちの少なくとも一方の側面には配置されておらず、且つ、該内板が配置されていない外板の側面に通気口が形成されているとともに、前記内板をメッキ鋼板あるいはステンレス鋼板で構成したことを特徴とする請求項１又は２記載のバーベキューコンロ。
【請求項４】
前記内板の上端部の、前記金網状部材の横設されている線状部材と干渉する部分が切り欠かれているとともに、該内板の上端部が逆Ｕ字状に屈曲しており、
前記逆Ｕ字状になった部分が、前記金網状部材の両側方の上端の線状部材に係止されており、
該係止が、前記上端の線状部材とそのすぐ下方の線状部材との間の外方から内方に向けて、前記内板の逆Ｕ字状になった部分が挿入されて、該挿入された逆Ｕ字状になった部分が上方から前記線状部材に被さるような形態でおこなわれている、ことを特徴とする請求項１〜３のいずれか１の項に記載のバーベキューコンロ。
【考案の詳細な説明】
【技術分野】
【０００１】
本願考案は、アウトドア等で使用されるバーベキューコンロの改良に関する。
【背景技術】
【０００２】
近年、我が国においても、アウトドア活動が活発になり、家族や仲間で、キャンプ場等においてバーベキューコンロを用いて、食事をすることが増加している。
【０００３】
このような余暇の過ごし方の変化に伴って、我が国においてもバーベキューコンロが次第に普及しつつある。
【０００４】
ところで、近年、人件費の安い中国等で各種製品が生産され始めたことに起因して、製品の低価格化の波が押し寄せ、かかるバーベキューコンロにおいても例外ではない。
【０００５】
このため、メーカにとって、より低価格で提供できるような構造のものが模索されている。
【０００６】
さらに、一方において、消費者保護の観点から製品の品質が厳しく問われ、例えば、バーベキューコンロの場合を例に挙げると、内部で炭等が高温で燃焼するにもかかわらず、外板が熱によって変色等すると、コンロの品質に問題があると、販売店に苦情が寄せられることも少なくない。
【０００７】
そのため、前記外板の熱による変色を防止するため、バーベキューコンロを内板と外板とからなる二重壁構造にして、炭は内板で囲まれた空間で燃焼させて、外板には燃焼している炭が直接接触しないような構成のバーベキューコンロが提案されている（特許文献１）。
【先行技術文献】
【特許文献】
【０００８】
【特許文献１】実開平５−６９５０１号公報。
【考案の概要】
【考案が解決しようとする課題】
【０００９】
しかしながら、前記構成のバーベキューコンロの場合、燃焼している炭が直接内板に当たる構成となるため、熱クリープによって剛性が低下して、内板が熱変形する。このため、内板に厚い板材を使用する必要がある。かかる場合には、金型や製造機械に大がかりなものを使用しなければならず、また加工工数も増加する。その結果、価格的に高価になり、現在の低価格化の流れの下では、販売競争力を低下させることになる。さらには、このようなバーベキューコンロでは、持ち運びにおいて、重く扱い難いものとなる。
【００１０】
本考案は、このような状況に鑑みておこなわれたもので、可及的に安価に且つ外板が熱により変色しない、しかも重量的に軽く、且つ、薄板を使用しても内板が熱変形し難いバーベキューコンロを提供することを目的とする。
【課題を解決するための手段】
【００１１】
本考案にかかるバーベキューコンロは、四方の側面と底面が設けられた外板によって構成され上方に開放された箱状の本体部分と、その内部に配置される内板を有するバーベキューコンロにおいて、前記内板を一方の側面から見て上方で拡幅した溝状の形態に形成するとともに、前記内板の内方に、間に空間が形成されるように、底面部分とその両側方から上方に向けて立ち上げた側面部分とを線状部材でメッシュ状に形成した金網状部材を、配置し、前記内板の上端部を前記金網状部材の上端部に、相対的に係止したことを特徴とする。
【００１２】
前述のように構成された本考案にかかるバーベキューコンロによれば、燃焼する炭等は、前記金網状部材に当接して保持され、前記空間を隔てて配置されている前記内板とは直接接触しない。このため、前記内板は熱による変形が可及的に防止でき、このため内板を可及的に薄い部材、具体的には、前記従来のバーベキューコンロの内板が０．６ｍｍ〜０．８ｍｍ程度の鋼板等を用いていたものが、０．３ｍｍ以下の厚さの鋼板を用いることが可能となる。従って、加工が容易となり、価格的に安価に製造でき、且つ性能的にも、外板が熱で変色することがなく、且つ、軽量化できるため持ち運びが容易となる。しかも、金網状部材は、中実の金属製の線状部材によって構成されているため、且つ、上端部で該金網状部材と前記内板とが係合しているため、該内板と金網状部材とが相まって剛性を高め、燃焼する炭に起因する熱変形を可及的に少なくすることができる。さらに、前記内板によって、輻射熱を有効に上方に反射することが可能となり、このため少ない炭でもって金網状部材の上方に載置された食材を熱処理することが可能となり、コンロとして高い熱効率を得ることができる。
【００１３】
前記バーベキューコンロにおいて、前記内板と金網状部材との間に空間を形成するために、前記内板と金網状の部材のいずれか一方の部材又は両方の部材に相手方に向けて突起を形成した構成とすると、部品点数を増加させることなく、安価に実現できる。
【００１４】
前記バーベキューコンロにおいて、前記内板が四方の側面のうちの少なくとも一方の側面には配置されておらず、且つ、該内板が配置されていない外板の側面に通気口が形成されているとともに、前記内板をメッキ鋼板あるいはステンレス鋼板等で構成すると、前記通気口から内部に新鮮な空気が供給されるため、円滑に燃焼が継続するとともに、前記内板が熱を上方に効率的に反射することから、また、前記外板部分は、前記通気口から流入する温度の低い空気に常に接触していることから、且つ、燃焼空間での熱が外板部分の側面や底面には伝達され難いため、熱で変色するようなこともない。
かかる構成において、内板が四方の側面のうちの両側面に配置されておらず、且つ、内板が配置されていない外板の側面に通気口が形成された構成とすると、新鮮な空気が燃焼空間を右方から左方へ、あるいはその逆方向に通過して、又は両側面の通気口から新鮮な空気が供給されて、燃焼空間で燃焼して該燃焼ガスが上方に向かって上昇し、極めて高い効率の燃焼がおこなわれる。
【００１５】
前記バーベキューコンロにおいて、前記内板の上端部の、前記金網状部材の横設されている線状部材と干渉する部分が切り欠かれているとともに、該内板の上端部が逆Ｕ字状に屈曲しており、
前記逆Ｕ字状になった部分が、前記金網状部材の両側方の上端の線状部材に係止されており、
前記係止が、前記上端の線状部材とそのすぐ下方の線状部材との間の外方から内方に向けて、前記内板の逆Ｕ字状になった部分が挿入されて、該挿入された逆Ｕ字状になった部分が上方から前記線状部材に被さるような形態でおこなわれていると、内板及び金網状部材の温度が上昇して多少の変形や歪みが生じても、両者がより確実に係止される状態となる。
【考案の効果】
【００１６】
前述のように構成された本考案にかかるバーベキューコンロによると、可及的に安価に且つ外板が熱により変色しない、しかも重量的に軽く、且つ、薄板を使用しても内板が熱変形し難いバーベキューコンロを提供することができる。
【図面の簡単な説明】
【００１７】
【図１】本考案の実施例にかかるバーベキューコンロの構成を示す図で、（ａ）は全体の概略構成を、外板部分の内方を透視的に示す、斜め上方から見た斜視図で、（ｂ）は内板と金網状部材との係合の一実施形態を示す図である。
【図２】図１に示すバーベキューコンロを構成する金網状部材、内板、外板の各構成を示す分解斜視図である。
【図３】図１に示すバーベキューコンロの構成を示す側面図である。
【考案を実施するための形態】
【００１８】
以下、本考案の実施例にかかるバーベキューコンロを図面を参照しながら具体的に説明する。
【実施例】
【００１９】
（実施例１）
以下、本考案の実施例を図面に基づいて説明する。
【００２０】
図１（ａ）において、Ａはバーベキューコンロで、かかるバーベキューコンロＡは、図１（ａ）あるいは図２に図示するように、四方の側面Ｓ１，Ｓ２，Ｓ３，Ｓ４と底面１Ｂを有する外板１によって、上方に開放された箱状の形態に構成された本体部分Ａ１と、該本体部分Ａ１の内方に配置され前記側面Ｓ２の側方（図１（ａ）の矢印Ｙ１方向、あるいは図３参照）から見て上方で次第に拡幅した溝状の形態をした板状部材からなる内板２と、該内板２の内方に、間に空間４が形成されるように、底面部分とその両側方から上方に向けて立ち上げた側面部分とが、側面視において上方で次第に拡幅した溝状の形態に、中実の線状部材をメッシュ状に溶接して形成した金網状部材３とを有する。また、この実施例では、前記金網状部材３の前記溝状になった両端部（両上端部）は、図１（ａ）あるいは図２に図示するように、熱クリープ等に対する剛性を高めるために、線状部材からなるクロスメンバー３ｃによって相互に接続されている。
【００２１】
そして、図１（ａ）あるいは図２に図示するように、前記本体部分Ａ１の前記側面Ｓ２，Ｓ４の内壁側には、前記内板２及び金網状部材３を前記底面１Ｂから空間８を空けて係止（吊持）するための、平面視が略コ字状になり前記金網状部材３の底面の線状部材３ｓを下方から保持する係止溝１２ａを具備した、フランジ部材１２が配置されている。しかし、前記内板２と金網状部材３とを本体部分Ａ１に保持あるいは載置する構成は、前記実施冷に限定されるものでなく、他の形態によっても実現することができる。
【００２２】
そして、前記内板２は、図２あるいは図１（ｂ）に示すように、前記溝状になったその両上端部で逆Ｕ字状又は逆Ｖ字状（この明細書及び特許請求の範囲において総称して「逆Ｕ字状」という）に屈曲しており、かかる逆Ｕ字状になった部分２ａが、前記金網状部材３の両側方の上端の線状部材３ｕに係止されている。かかる係止は、前記上端の線状部材３ｕとそのすぐ下方の線状部材３ｄとの間の外方から内方に向けて、前記内板２の逆Ｕ字状になった部分２ａが挿入されて、図１（ｂ）に図示するように、該逆Ｕ字状になった部分２ａが上方から前記線状部材３ｕに被さるような形態でおこなわれている。
このため、前記内板２の上端部の、両端部分を除いて、前記金網状部材３の横設されている（長手方向に直交する方向に設けられている）線状部材３ｋと干渉する部分２ｅが、図１（ａ），（ｂ），図２に図示するように、矩形状に切り欠かかれている。なお、この実施例では、前記両端部分では、金網状部材３の両端が内板２の両端より突出しているため、前記切欠きを形成する必要がない。
このような係止構造は、以下の点で好ましい。つまり、燃焼により内板２及び金網状部材３の温度が上昇してくると、炭により直接的に接触するか否かによって、該金網状部材３と内板２の上昇温度が相違することから、且つ、前記金網状部材３は線状部材特有の所謂「熱だれ」が生じ、一方内板２には面歪みが生じるなどの原因によって、該金網状部材３の幅方向Ｘの熱膨張量と内板の幅方向Ｘの熱膨張量とが相違するが、熱変形等は、両者の係合がより強固になる側に変化（熱変形）するよう構成されている。しかし、かかる実施例の他にも、前記内板２の上端部を金網状部材３の上端部に、他の形態によって相対的に係止することができることは言うまでもない。
【００２３】
そして、この実施例では、前記内板２の底面には、溝長手方向Ｙ（図２参照）に沿って延びるように、前記側面Ｓ２方から見て、矩形状の突起２Ｂが複数（この実施例では２条）相互に間を空けて形成されている。もちろん、この構成に代えて、前記金網状部材３の底面部分に下方に突出する突起を形成してもよく、あるいは内板２と金網状部材３の両方に相手方に向けて突出する突起を形成してもよい。
【００２４】
前記フランジ部材１２による吊持と突起２Ｂを設けることによって、図１（ａ），図３に示す如く、前記本体部分Ａ１の底面１Ｂとその内方の前記内板２との間に空間８が形成されるとともに、前記内板２と金網状部材３との間にも、前記空間４（図１参照）が形成されることになる。
【００２５】
そして、前記外板１のうちの、両側面Ｓ２，Ｓ４の内方には、前記内板２は存在せず、且つ、かかる両側面Ｓ２，Ｓ４には、通気口５が形成され、外部の空気が前記金網状部材３の内部の燃焼空間に送られるよう構成されている。かかる通気口５によって、該金網状部材３の上で、つまり燃焼空間で燃焼する炭に、新鮮な空気が供給され、円滑な且つ効率的に燃焼がおこなわれることになる。なお、前記両側面Ｓ２，Ｓ４の内面に取着される前記フランジ部材１２にも、前記通気口５を塞ぐことのないように、該通気口５と重なるように通気口が形成されている。
【００２６】
また、前記外板１のうちの、前記側面Ｓ１，Ｓ３にも、開口６が複数形成されて、前記内板２と外板１の間の空間８（図１参照）に、籠もろうとする熱が外気方へ逃がされ、且つ、温度の低い外気が導入されて、内板２及び外板３が所定以上の温度にならないように構成されている。つまり、前記金網状部材３の上で燃焼する炭によって熱せられる内板２とその外側の外板３が適度に冷却され、熱変形が生じるのを可及的に防止する。
【００２７】
また、このバーベキューコンロＡの場合、図１（ａ），図３に二点鎖線で示すように、コンロの脚９が前記本体部分Ａ１の四隅に配置されている。
【００２８】
ところで、本実施例にかかるバーベキューコンロＡの場合、前記外板１の板厚は概ね０．３〜０．５ｍｍ程度のものが使用され、また、前記内板２の板厚は概ね０．１５〜０．２ｍｍ程度のものが使用され、且つ前記金網状部材３の線状部材の線径は概ね１．５ｍｍ程度のものが使用されている。このため、本バーベキューコンロＡの場合、従来のものに比べて、大幅な軽量化を図ることが可能となる。もちろん、前記板厚や線径は単なる例示であり、かかる具体的数値のものに限定されるものではない。なお、前記内板２に、この実施例の場合、輻射熱をより有効に利用できるように、メッキ鋼板又はステンレス鋼板を使用している。また、前記外板１には、鋼板を使用し、その表面を塗装している。さらに、前記金網状部材には、鋼材を使用し、金網状に形成して後にメッキ処理している。しかし、これらは単なる例示であって、これらに限定されるものではない。
【００２９】
そして、前述のように構成された本発明にかかるバーベキューコンロＡは、以下のように作用する。つまり、
バーベキューをおこなう際、炭は、前記金網状部材３の上に載置されて、着火装置等によって着火され、金網状部材３の上で炭が燃焼する。そして、かかる金網状部材３の外方には、前記内板２が該金網状部材３を、上端部を除いて外方から取り囲むように配置され、炭等の熱は、かかる内板２で反射されてバーベキューコンロＡの上方に放射される。
このため、かかるバーベキューコンロＡの上に載置される食材（図示せず）に向けて炭の燃焼熱や放射熱及び輻射熱が有効に当たることになる。この結果、かかるバーベキューコンロＡ上方に配置されている食材は、効率良く遠赤外線等によって焼かれることになる。
【００３０】
一方、前記内板２は、前記金網状部材３との間に空間４を隔てて設けられていることから、該内板２が燃焼する高温の炭に概ね直接当たることがなく、従って、内板２を薄板で構成しても、熱によって大きく変形するようなことはない。
そして、炭の熱は、内板２で反射されて、前記側板Ｓ２，Ｓ４を除いて、外板１に直接作用することがないため、且つ、前記外板１の底面１Ｂと内板２との間に空間８が形成されているため、熱によって外板１の塗料が変色するようなことはない。また、前記側板Ｓ２，Ｓ４には、炭の熱は直接当たるが、かかる部分には、前記通気口５が形成されて、温度の低い外気が流れ込むことによって冷却された状態となっているため、熱による変色が生じるようなことはない。
【００３１】
そして、本実施例にかかるバーベキューコンロＡの場合、前述のように、内板２に板厚の薄い材料を使用できるため、従来のものに比べて大幅に軽量化を図ることができる。また、安価に製造することが可能となる。なお、金網状部材３は中実の線材を使用しているが、メッシュ状であるため、重量的には軽量に抑えられる。
【００３２】
また、前記金網状部材３が側面視において上端方で拡幅した溝状の形態を有しているため、使用する炭の量を大幅に削減することができる。
【００３３】
本考案は、前記実施例に限定されるものでなく、本考案の技術的思想に基づく範囲において種々の形態で実施することが可能となることは言うまでもない。
【産業上の利用可能性】
【００３４】
本考案にかかるバーベキューコンロは、アウトドア等のコンロとして使用することができる。
【符号の説明】
【００３５】
Ａ…バーベキューコンロ
Ａ１…本体部分
Ｓ１〜Ｓ４…バーベキューコンロ
１…外板
２…内板
３…金網状部材
４…空間
【図１】
0003165759.tif 000003
【図２】
0003165759.tif 000004
【図３】
0003165759.tif 000005